(57)【要約】【課題】切断工具を型枠に対して安定的に固定することができる切断工具の取付具を提供する。【解決手段】型枠１００の内周縁Ｃに沿ってデッキプレート１１０を切断して貫通口を形成するための切断工具１の取付具１０が、型枠１００の対向する内壁面１０１に取り付けられる直線状のガイド部材２０と、切断工具１を保持しながらガイド部材２０に沿って移動可能な保持部材３０と、を具備する。保持部材３０が係止機構を有し、係止機構が、保持部材３０の切断方向の移動を可能にすると共に切断方向とは反対の方向の移動を係止するようにしてもよい。【選択図】図１
2020037151.tif 000002
【特許請求の範囲】
【請求項１】
型枠の内周縁に沿ってデッキプレートを切断して貫通口を形成するための切断工具の取付具であって、
型枠の対向する内壁面に取り付けられる直線状のガイド部材と、
切断工具を保持しながら前記ガイド部材に沿って移動可能な保持部材と、を具備することを特徴とする切断工具の取付具。
【請求項２】
前記ガイド部材が伸縮可能に構成されている請求項１に記載の切断工具の取付具。
【請求項３】
前記保持部材が係止機構を有し、
前記係止機構が、前記保持部材の切断方向の移動を可能にすると共に前記切断方向とは反対の方向の移動を係止する請求項１又は２に記載の切断工具の取付具。
【請求項４】
前記係止機構が、前記切断方向を切り替え可能に構成されている請求項３に記載の切断工具の取付具。
【請求項５】
前記係止機構が、前記ガイド部材を貫通し且つ隣接して配置された２つの係止板を有し、
前記ガイド部材の軸線に対して、一方の前記係止板は傾斜して配置され且つ他方の前記係止板は垂直に配置され、
前記保持部材が前記切断方向とは反対の方向に移動すると、前記一方の係止板がより傾斜して前記ガイド部材と係止し、前記保持部材が前記切断方向に移動すると、前記一方の係止板は、前記ガイド部材の軸線に対して垂直となるように移動して前記ガイド部材と係止しない請求項３に記載の切断工具の取付具。
【請求項６】
傾斜して配置される前記係止板を切り替え可能である請求項５に記載の切断工具の取付具。
【請求項７】
前記ガイド部材が、幅調節機構を有している請求項１乃至６のいずれか一項に記載の切断工具の取付具。
【請求項８】
前記幅調節機構が、互いに重ね合わせられた２つのプレートを有し、前記２つのプレートの重ね合わせを変更することによって、型枠に適合される請求項７に記載の切断工具の取付具。
【請求項９】
一端が型枠に取り付けられ、他端が当該切断工具の取付具に取り付けられる落下防止部材をさらに具備する請求項１乃至８のいずれか一項に記載の切断工具の取付具。
【発明の詳細な説明】
【技術分野】
【０００１】
本発明は、切断工具の取付具に関する。
【背景技術】
【０００２】
ビル等の複数のフロアからなる建物を建設する際に、フロア間に亘って幹線ケーブル等のケーブルを敷設するため、各フロアの対応する箇所の床スラブに矩形の貫通口を形成する必要がある。具体的には、床スラブ用の金属製のデッキプレートに対し、筒状に形成された金属製の矩形の型枠（スリーブ）を固定する。このとき、型枠は、一方の開口が上方を向き、他方の開口がデッキプレートによって閉鎖されるように設置される。次いで、型枠の周囲のデッキプレート上にコンクリートを打設する。次いで、切断工具を用いて、型枠の開口を介して露出しているデッキプレート部分を、型枠の内周縁に沿って切断することによって、型枠の開口に対応する貫通口が形成される。
【０００３】
デッキプレートの切断には、火災の危険性を避けるため、ガス切断等ではなく、鋸刃（ブレード）を備えた切断工具を用いられる。また、上述したように矩形の型枠の内周縁において、特に角（コーナー）に沿ってデッキプレートを切断する必要があるため、切断工具として、円形のチップソーではなく、セーバーソー、レシプロソー等の往復動作式の切断工具を用いることが好ましい。こうした切断工具を固定し、貫通口を効率的且つ精度良く形成するための取付具として、特許文献１に記載の取付具が公知である。特許文献１に記載の取付具は、型枠の頂部に設けられた上部フランジに取り付けられる。取付具に対して切断工具を取り付け、上部フランジに沿って切断工具を移動させることによって、デッキプレートの切断が行われる。
【先行技術文献】
【特許文献】
【０００４】
【特許文献１】実用新案登録第３１９０５４６号公報
【発明の概要】
【発明が解決しようとする課題】
【０００５】
特許文献１に記載の取付具は型枠の上部フランジに取り付けられることから、その取り付け強度は上部フランジの形状及び強度に依存する。例えば、上部フランジの幅が小さい場合や上部フランジの板厚が小さい場合には、作業者が切断工具を押圧する圧力や切断工具から受ける反力等で上部フランジが変形し、切断工具を上部フランジに沿って移動できなくなる虞がある。また、切断工具が、屈曲したプレートによって取付具に対して固定されることから、型枠の高さ等の寸法に応じて、切断工具の取り付け角度を簡単に変更することはできない。さらに、屈曲したプレートは、片持ち梁状に切断工具を支持することから、作業者が切断工具を押圧する圧力や切断工具から受ける反力等によって撓む可能性があり、安定した作業を行うことができない。
【０００６】
本発明は、切断工具を型枠に対して安定的に固定することができる切断工具の取付具を提供することを目的とする。
【課題を解決するための手段】
【０００７】
本発明の一態様によれば、型枠の内周縁に沿ってデッキプレートを切断して貫通口を形成するための切断工具の取付具であって、型枠の対向する内壁面に取り付けられる直線状のガイド部材と、切断工具を保持しながら前記ガイド部材に沿って移動可能な保持部材と、を具備することを特徴とする切断工具の取付具が提供される。
【０００８】
前記ガイド部材が伸縮可能に構成されていてもよい。また、前記保持部材が係止機構を有し、前記係止機構が、前記保持部材の切断方向の移動を可能にすると共に前記切断方向とは反対の方向の移動を係止するようにしてもよい。前記係止機構が、前記切断方向を切り替え可能に構成されていてもよい。前記係止機構が、前記ガイド部材を貫通し且つ隣接して配置された２つの係止板を有し、前記ガイド部材の軸線に対して、一方の前記係止板は傾斜して配置され且つ他方の前記係止板は垂直に配置され、前記保持部材が前記切断方向とは反対の方向に移動すると、前記一方の係止板がより傾斜して前記ガイド部材と係止し、前記保持部材が前記切断方向に移動すると、前記一方の係止板は、前記ガイド部材の軸線に対して垂直となるように移動して前記ガイド部材と係止しないようにしてもよい。傾斜して配置される前記係止板を切り替え可能にしてもよい。前記ガイド部材が、幅調節機構を有していてもよい。前記幅調節機構が、互いに重ね合わせられた２つのプレートを有し、前記２つのプレートの重ね合わせを変更することによって、型枠に適合されるようにしてもよい。一端が型枠に取り付けられ、他端が当該切断工具の取付具に取り付けられる落下防止部材をさらに具備してもよい。
【発明の効果】
【０００９】
本発明の態様によれば、切断工具を型枠に対して安定的に固定することができる切断工具の取付具を提供するという共通の効果を奏する。
【図面の簡単な説明】
【００１０】
【図１】図１は、本発明の実施形態による切断工具の取付具の使用状態の斜視図である。
【図２】図２は、図１を切断方向に向かって見た図である。
【図３】図３は、保持部材の斜視図である。
【図４】図４は、保持部材の縦断面図である。
【図５】図５は、保持部材の別の縦断面図である。
【図６】図６は、保持部材の使用状態の縦断面図である。
【図７】図７は、図４の線Ａ−Ａにおける保持部材の断面図である。
【図８】図８は、図４の線Ａ−Ａにおける保持部材の別の状態による断面図である。
【図９】図９は、図４の線Ａ−Ａにおける保持部材のさらに別の状態による断面図である。
【発明を実施するための形態】
【００１１】
以下、図面を参照しながら本発明の実施の形態を詳細に説明する。全図面に渡り、対応する構成要素には共通の参照符号を付す。
【００１２】
図１は、本発明の実施形態による切断工具１の取付具１０の斜視図であり、図２は、図１を切断方向に向かって見た図である。切断工具１は、鋸刃（ブレード）を備えた切断工具である。切断工具１は、セーバーソー、レシプロソー等の往復動作式の切断工具であることが好ましい。切断工具１は、工具本体２と鋸刃３とを有し、鋸刃３を往復させることによって、デッキプレート１１０を切断する。
【００１３】
取付具１０は、ガイド部材２０と保持部材３０とを有している。
【００１４】
ガイド部材２０は、直線状の部材であるガイド本体２１と、外周面に雄ネジが形成された雄ネジロッド２２と、支持部材２３と、第１支持プレート２４と、第２支持プレート２５とを有している。ガイド本体２１は、好ましくは円形の断面を有している。ガイド本体２１の端部の内面には雌ネジが形成されている。雄ネジロッド２２の一端には、支持部材２３が取り付けられ、雄ネジロッド２２の他端は、ガイド本体２１の端部の雌ネジと螺合している。したがって、支持部材２３を把持して回転させることによって、ガイド本体２１に対する雄ネジロッド２２及び支持部材２３の突出量を変化させることができる。すなわち、ガイド部材２０は、伸縮可能に構成されている。
【００１５】
なお、ガイド部材２０は、螺合以外の手段によって伸縮可能に構成してもよい。例えば、ガイド部材２０を少なくとも２つの筒状部材から構成し、各筒状部材に、同一直線上に均等に配置された複数の貫通孔を形成する。これら筒状部材は、一方の筒状部材に他方の筒状部材を挿入し、対応する貫通孔を介したボルト及びナットの締結等によって互いに固定される。筒状部材の挿入の位置を変更することによって、ガイド部材２０を任意の長さに調節できるようにしてもよい。
【００１６】
支持部材２３は、第１支持プレート２４に対して固定されている。第１支持プレート２４には、同一線上に均等に配置された複数の取付孔２６が形成されている。第２支持プレート２５には、第１支持プレート２４の取付孔２６と同一間隔で、同一線上に均等に配置された複数の取付孔２７が形成されている。第１支持プレート２４及び第２支持プレート２５は、互いに重ね合わせられ、取付孔２６及び取付孔２７を介したボルト及びナットの締結等によって、互いに固定される。第１支持プレート２４及び第２支持プレート２５の重ね合わせ、すなわち締結する取付孔２６及び取付孔２７の位置を変更することによって、第１支持プレート２４及び第２支持プレート２５の全体の幅を調節することができる。したがって、第１支持プレート２４及び第２支持プレート２５は、幅調節機構を構成する。
【００１７】
なお、幅調節機構は、２つのプレート以外の手段によって構成してもよい。例えば、上述したガイド部材２０のように、螺合によって幅を調節可能にしてもよく、２つの筒状部材の固定位置を変更することによって幅を調節可能にしてもよい。
【００１８】
図３は、保持部材３０の斜視図であり、図４は、保持部材３０の縦断面図であり、図５は、保持部材３０の別の縦断面図である。
【００１９】
保持部材３０は、切断工具１を保持しながらガイド部材２０に沿って移動可能な部材である。保持部材３０は本体部材３１を有している。本体部材３１には、本体部材３１を貫通して挿入孔３２が形成されている。挿入孔３２には、ガイド部材２０のガイド本体２１が挿入される。挿入孔３２は、本体部材３１に形成された凹部３３によって、軸線方向に２つに分割されている。挿入孔３２の軸線と平行に且つ凹部３３を跨いで、切替ロッド３４が本体部材３１を貫通して配置されている。切替ロッド３４は、軸線方向に移動可能である。切替ロッド３４は、好ましくは円柱状の部材である。本体部材３１の内部に配置される切替ロッド３４の一方の端部近傍の外面には、２つの環状の係止溝３６が形成されている。切替ロッド３４の両端部のいずれか一方は、本体部材３１から突出している。
【００２０】
凹部３３において露出した切替ロッド３４の中央部分には、切替ロッド３４を軸線に対して垂直に貫通する係止ロッド３５が設けられている。係止ロッド３５は、両端部の各々が突出している。凹部３３内には、２つの係止板３７が、切替ロッド３４の係止ロッド３５を挟んで隣接して配置されている。２つの係止板３７の各々の端部は、凹部３３の底面に設けられた２つの溝３３ａ内に配置されている。溝３３ａの幅は、係止板３７の厚みよりも大きいため、係止板３７の端部が溝３３ａ内に配置された状態で、係止板３７は、自由に傾斜が可能となっている。２つの係止板３７の各々には、係止孔３８が設けられている。係止孔３８には、ガイド部材２０のガイド本体２１が挿入される。係止孔３８の内径は、ガイド本体２１の外径より、さらには挿入孔３２よりも大きく形成されている。切替ロッド３４は、２つの係止板３７を貫通している。２つの係止板３７は、切替ロッド３４に対して移動可能である。切替ロッド３４の外周面には、２つのコイルスプリング３９が配置されている。２つの係止板３７は、２つのコイルスプリング３９の間に配置されている。
【００２１】
本体部材３１は、切替ロッド３４に対して垂直に配置された位置決め部材４０を有している。位置決め部材４０は、本体部材３１の内部に挿入された先端において、スプリングを介してボールを保持している（図示せず。）。したがって、位置決め部材４０の先端のボールは、切替ロッド３４に対して垂直な方向に移動可能である。位置決め部材４０の先端のボールは、切替ロッド３４の係止溝３６内に配置可能に構成されている。
【００２２】
本体部材３１は、切替ロッド３４及び位置決め部材４０に対して垂直に配置された固定ノブ４１を有している。固定ノブ４１は、本体部材３１に対して螺合している。固定ノブ４１を回転させることによって、固定ノブ４１の先端を切替ロッド３４に対して強く押圧させ、それによって切替ロッド３４の軸線方向の移動を規制することができる。固定ノブ４１を反対方向に回転させることによって、押圧を解除することができる。
【００２３】
本体部材３１は、挿入孔３２の軸線に対して垂直に配置され且つ本体部材３１を貫通する取付ロッド４２を有している。切断工具１は、取付ロッド４２に連結されることによって、取付具１０に取り付けられている。取付ロッド４２は、挿入孔３２の軸線と平行に配置された固定ロッド４３によって選択的に固定される。固定ロッド４３は、外部に突出した一端に操作部４４を有している。使用者は、操作部４４を回転させることによって、固定ロッド４３を回転させ、後述するように、取付ロッド４２を固定又は固定解除することができる。
【００２４】
次に、図４及び図５並びに図６を参照しながら、保持部材３０の動作について説明する。図６は、保持部材の使用状態の縦断面図である。図４では、切替ロッド３４は、左側に寄って配置され、切替ロッド３４の左側の端部が本体部材３１より突出している。この状態では、位置決め部材４０の先端のボールは、切替ロッド３４の右側の係止溝３６内に配置され、この位置で、切替ロッド３４の軸線方向の移動が固定ノブ４１によって固定されている。このとき、左側の係止板３７は、切替ロッド３４に対して垂直に配置される一方で、右側の係止板３７は、左方向に傾斜して配置されている。
【００２５】
他方、図５では、切替ロッド３４は、右側に寄って配置され、切替ロッド３４の右側の端部が本体部材３１より突出している。この状態では、位置決め部材４０の先端のボールは、切替ロッド３４の左側の係止溝３６内に配置され、この位置で、切替ロッド３４の軸線方向の移動が固定ノブ４１によって固定されている。このとき、右側の係止板３７は、切替ロッド３４に対して垂直に配置される一方で、左側の係止板３７は、右方向に傾斜して配置されている。
【００２６】
固定ノブ４１を緩めた状態で、図４において左側に突出した切替ロッド３４の端部を押圧することによって、図５に示された状態に切り替えることができる。他方、固定ノブ４１を緩めた状態で、図５において右側に突出した切替ロッド３４の端部を押圧することによって、図４に示された状態に切り替えることができる。このとき、係止板３７は、切替ロッド３４に設けられた係止ロッド３５に押圧されることによって、またコイルスプリング３９の付勢力によって、姿勢が変更される。
【００２７】
２つの係止板３７は、保持部材３０の切断方向の移動を可能にすると共に切断方向とは反対の方向の移動を係止する、係止機構を構成する。具体的には、図６において左方向に切断する場合、ガイド本体２１が保持部材３０に対して相対的に右方向に移動する。このとき、左側の係止板３７は、垂直に配置されていることから、ガイド本体２１と接触しておらず、ガイド本体２１の移動を阻害しない。他方、右側の係止板３７は、傾斜して配置されていることから、係止孔３８の内面、特に縁部と、ガイド本体２１の外面との間の係止によって、垂直に近づくように姿勢が変化する。係止板３７が垂直に近づくことによって、ガイド本体２１の外面との間の係止力は減少する。したがって、図６において、ガイド本体２１は、保持部材３０に対して相対的に右方向に移動することができ、よって、保持部材３０は、切断方向に移動することができる。
【００２８】
反対に、ガイド本体２１が保持部材３０に対して相対的に左方向に移動する場合、上述したように、左側の係止板３７は、垂直に配置されていることから、ガイド本体２１と接触しておらず、ガイド本体２１の移動を阻害しない。他方、右側の係止板３７は、傾斜して配置されていることから、係止孔３８の内面、特に縁部と、ガイド本体２１の外面との間の係止によって、より傾斜するように姿勢が変化する。係止板３７がより傾斜することによって、ガイド本体２１の外面との間の係止力は増大する。したがって、図６において、ガイド本体２１は、保持部材３０に対して相対的に左方向に移動することができず、よって、保持部材３０は、右方向、すなわち切断方向とは反対の方向に移動することができない。
【００２９】
なお、図６において、保持部材３０を右方向に移動させて切断したい場合には、切替ロッド３４の位置を切り替えることによって、保持部材３０のガイド本体２１に対する移動可能な方向を切り替えることができる。具体的には、切替ロッド３４を、図５に示された状態にすることによって、傾斜して配置される係止板３７が切り替えられ、ガイド本体２１が保持部材３０に対して相対的に左方向に移動することができるようになる。したがって、係止機構は、切断方向を切り替え可能に構成されている。
【００３０】
次に、図７乃至９を参照しながら、取付ロッド４２の本体部材３１からの突出量を変更する方法について説明する。図７は、図４の線Ａ−Ａにおける保持部材３０の断面図であり、図８は、図４の線Ａ−Ａにおける保持部材３０の別の状態による断面図であり、図９は、図４の線Ａ−Ａにおける保持部材３０のさらに別の状態による断面図である。
【００３１】
取付ロッド４２の側面には、軸線方向に離間した２つの嵌合凹部４２ａと、２つの嵌合凹部４２ａ間に配置された第１平坦部４２ｂとが形成されている。嵌合凹部４２ａは、軸線方向に対して垂直な方向に延びる円筒面状に形成されている。固定ロッド４３の側面には、第２平坦部４３ａが形成されている。
【００３２】
例えば、図７に示された状態は、突出量が大きい取付ロッド４２の状態を示している。このとき、固定ロッド４３の側面の円柱状の部分が、嵌合凹部４２ａに嵌合し、取付ロッド４２の軸線方向の移動を規制している。取付ロッド４２の突出量を変更する場合には、操作部４４を回転させることによって固定ロッド４３を回転させ、第２平坦部４３ａが、取付ロッド４２の第１平坦部４２ｂと平行になるようにする。それによって、取付ロッド４２は、固定ロッド４３に規制されることなく、軸線方向に移動可能となる（図８）。したがって、取付ロッド４２の突出量を小さくしたい場合には、図９に示されるように、図７とは別の嵌合凹部４２ａに固定ロッド４３が配置されるよう、取付ロッド４２を移動させる。次いで、操作部４４を回転させて、固定ロッド４３の側面の円柱状の部分を嵌合凹部４２ａに嵌合させ、取付ロッド４２を固定する。
【００３３】
次に、図１及び図２を参照しながら、取付具１０の使用方法及び切断工具１を使用した切断方法について説明する。床スラブ用の金属製のデッキプレート１１０に対し、筒状に形成された金属製の矩形の型枠１００を固定する。具体的には、型枠１００は、側壁１０１によって直方体の外形が形成され、設置状態において、上方の開口の縁部には、上部フランジ１０２が全周に亘り形成され、下方の開口の縁部には、下部フランジ１０３が全周に亘り形成されている。下部フランジ１０３が、デッキプレート１１０に対して固定される。型枠１００は、例えば、１２００ｍｍ×３００ｍｍの開口が形成されるように側壁１０１が形成され、側壁１０１の高さは、例えば１５０〜６００ｍｍである。
【００３４】
まず、デッキプレート１１０に固定された型枠１００の内側に対して、取付具１０を取り付ける。このとき、切断工具１は取付具１０、すなわち保持部材３０に対しては取り付けられていない。取付具１０は、上述したように、ガイド本体２１が支持部材２３を回転させることによって伸縮可能に構成されている。したがって、ガイド本体２１の長さを調節し、型枠１００の対向する側壁１０１、すなわち図１においては長方形の短辺に相当する側壁１０１の内壁面間に突っ張ることによって、ガイド部材２０を取り付ける。また、第１支持プレート２４及び第２支持プレート２５の全体の幅を調節し、型枠１００の対向する側壁１０１、すなわち図１においては長方形の長辺に相当する側壁１０１の内壁面間に適合させる。型枠１００のサイズ及び形状に応じて、第１支持プレート２４及び第２支持プレート２５を交換し、より型枠１００に適合させるようにしてもよい。
【００３５】
この状態で、切断工具１を保持部材３０に対して取り付け、切断工具１の鋸刃３を使用して、型枠１００の内周縁Ｃ（図２）の一辺に沿ってデッキプレート１１０を切断する。型枠１００の内周縁Ｃの一辺の切断が終了したら、取付具１０を型枠１００から取り外す。次いで、型枠１００の内周縁Ｃの別の一辺を切断するため、９０度又は１８０度だけ姿勢を変えてガイド部材２０を型枠１００に取り付け、切断する。型枠１００のサイズ及び形状に応じて、より長い又はより短いガイド部材２０に交換してもよい。これを繰り返し、型枠１００のすべての内周縁Ｃを切断し、切断作業が完了する。
【００３６】
デッキプレート１１０の切断が完了すると、矩形の切片が下方に落下してしまう。これに関し、予めワイヤ等の一端を型枠１００、例えば上部フランジ１０２に取り付け、他端を型枠１００の開口を介して露出しているデッキプレート１１０部分に取り付ける。それによって、切断作業後、デッキプレート１１０の切片の落下を防止することができる。
【００３７】
また、切断作業完了後、切断工具１及び取付具１０を型枠１００から取り外す必要がある。このとき、型枠１００内のデッキプレート１１０の部分はすでに貫通口が形成されていることから、誤って切断工具１及び取付具１０を落下させてしまう虞がある。これに関し、予めロープ等の紐状部材の一端に取り付けられたカラビナ等の連結部材を、ガイド部材２０のガイド本体２１又は雄ネジロッド２２等に連結し、他端を型枠１００、例えば上部フランジ１０２に取り付ける。それによって、取り外し作業時に、切断工具１及び取付具１０の落下を防止することができる。したがって、取付具１０は、一端が型枠１００に取り付けられ、他端がガイド部材２０等の取付具１０に取り付けられる落下防止部材を有していてもよい。
【００３８】
ガイド部材２０は、型枠の対向する内壁面に取り付けられる限りにおいて任意の構成を採用し得る。例えば、ガイド部材２０の両端部を内壁面に接着することによって、ガイド部材２０を内壁面に取り付けてもよい。また、ガイド部材２０の両端部を内壁面にネジ等によって一時的に締結することによって、ガイド部材２０を内壁面に取り付けてもよい。
【００３９】
上述したように、切断作業をするために、まず型枠１００に対してガイド部材２０を取り付けてから、切断工具１を保持部材３０に対して取り付ける。このとき、図２に示されるように、保持部材３０と型枠１００の側壁１０１との間の空間が十分に無い場合には、取付ロッド４２を切断工具１側の取付孔に容易に挿入することができない。したがって、上述したように、まず取付ロッド４２の突出量を小さくし、切断工具１を近傍に配置した後に、取付ロッド４２の突出量を大きくするよって、切断工具１を容易に取り付けることができる。
【００４０】
取付具１０によれば、ガイド部材２０が型枠１００の対向する内壁面に取り付けられていることから、切断工具１を型枠１００に対して安定的に固定することができる。また、ガイド部材２０の内壁面の取り付け位置は、容易に変更することができる。また、ガイド部材２０の内壁面の取り付け位置に応じて、幅調節機構の第１支持プレート２４及び第２支持プレート２５を適宜変更することができる。それによって、切断工具１と側壁１０１との位置関係を適切にすることができる。また、保持部材３０は、ガイド部材２０回りに自由に回転でき、さらに切断工具１は取付ロッド４２回りに自由に回転できることから、切断工具１の姿勢を自由に変更しながら切断作業を行うことができる。
【００４１】
また、係止機構によって、保持部材３０、すなわち切断工具１の切断方向の移動を可能にすると共に切断方向とは反対の方向の移動を係止することから、切断作業をスムーズに行うことができる。すなわち、作業者は、所定の力で切断工具１を押圧することによって、切断工具１を切断方向に移動させることができる一方で、切断工具１を切断方向とは反対の方向に移動させようとする切断時の反力は、係止機構によって抑制される。
【００４２】
さらに、切断工具１は、取付ロッド４２回りに回転可能に支持されていることから、作業者は、工具本体２の後端部を持ち上げることによって、又は、切断工具１の自重によって、デッキプレート１１０に対して切断に必要な押圧力を容易に加えることができる。さらに、取付ロッド４２回りの切断工具１の姿勢を適切に調節し且つそれを維持することによって、切断工具１の自重を利用し、作業者が積極的に切断工具１を移動させなくても切断が進行するようにすることができる。
【符号の説明】
【００４３】
１    切断工具
１０    取付具
２０    ガイド部材
２１    ガイド本体
２４    第１支持プレート
２５    第２支持プレート
３０    保持部材
３１    本体部材
３４    切替ロッド
３７    係止板
１００    型枠
１０１    側壁
１１０    デッキプレート
【図１】
2020037151.tif 000003
【図２】
2020037151.tif 000004
【図３】
2020037151.tif 000005
【図４】
2020037151.tif 000006
【図５】
2020037151.tif 000007
【図６】
2020037151.tif 000008
【図７】
2020037151.tif 000009
【図８】
2020037151.tif 000010
【図９】
2020037151.tif 000011